【事件の表示】
　商願２０１８−２１６３５拒絶査定不服審判事件について，次のとおり審決する。
【結　論】
　本件審判の請求は，成り立たない。
【理　由】
第１　本願商標
　本願商標は，「エフ−１」の文字を標準文字で表してなり，第６類，第７類，第１０類，第１１類，第１２類，第１７類及び第３７類に属する願書に記載のとおりの商品及び役務を指定商品及び指定役務として，平成３０年２月２２日に登録出願されたものであり，その後，指定商品については，原審における同年１２月２８日付け及び当審における令和元年５月２２日付けの手続補正書により，最終的に，第６類「非鉄金属及びその合金，金属製分岐管，水道管，建築用又は構築用の金属製専用材料，金属製管，金属製配管パイプ，送水管用金属製バルブ，金属製バルブ（機械要素に当たるものを除く。），金属製管継ぎ手，金属製フランジ，ケーブル用及び管用の金属製クリップ，金属製金具，ガス貯蔵槽又は液化ガス貯蔵槽用のアルミニウム製の浮中ぶた，金属製液化ガス貯蔵槽，金属製ガス貯蔵槽，キー，コッタ」と補正されたものである。
第２　原査定の拒絶の理由（要点）
　原査定は，「本願商標は，欧文字『Ｆ』の発音を片仮名で表記した『エフ』の文字と数字の『１』とを，『−』（ハイフン）を介して一連に標準文字で現してなるものであるところ，いわゆる製造業界においては，欧文字１字と数字の組み合わせは，商品の形式，品番等を表示する記号，符号として類型的に，取引上普通に採択使用されているものである。そうすると，本願商標は，極めて簡単で，かつ，ありふれた標章のみからなる商標といわざるを得ず，本願商標は商標法第３条第１項第５号に該当する。」旨認定，判断し，本願を拒絶したものである。
第３　当審の判断
　１　商標法第３条第１項第５号該当性について
　ア　本願商標は，欧文字「Ｆ」の音を片仮名で表記した「エフ」の文字と数字の「１」とを，「−」（ハイフン）を介して，「エフ−１」と標準文字で表してなる商標である。
　イ　欧文字１文字と数字とを「−」（ハイフン）を介して組み合わせたものからなる標章は，商品の品番，型番，種別，形式，規格等を表した記号又は符号として，取引上普通に採択・使用されており，具体的には，別掲１のとおりである。
　ウ　「エフ」の片仮名が欧文字の「Ｆ」の音を表すものであることについて，我が国における代表的な国語辞典を参照すると，以下のとおりである。
（ア）広辞苑第六版（株式会社岩波書店発行）においては，「エフ【Ｆ・ｆ】」の見出しのもと，最初の語義に，「アルファベットの六番目の文字」との記載があり，その他「エフアール【ＦＲ】」「エフアールピー【ＦＲＰ】」「エフイーティー【ＦＥＴ】」「エフいんし【Ｆ因子】」「エフエー【ＦＡ】」「エフエーエス【ＦＡＳ】」「エフエーオー【ＦＡＯ】」「エフエーキュー【ＦＡＱ】」「エフエフ【ＦＦ】」「エフエム【ＦＭ】」「エフエムほうそう【ＦＭ放送】」「エフオー【ＦＯ】」「エフオービー【ＦＯＢ】」等の見出しがあるが，欧文字「Ｆ」の音は，いずれも「エフ」の片仮名をもって表されている。
（イ）大辞泉第三版（株式会社小学館発行）においては，「エフ【Ｆ・ｆ】」の見出しのもと，最初の語義に，「英語のアルファベットの第六字」との記載があり，その他「エフアール【ＦＲ】」「エフエー【ＦＡ】」「エフエーキュー【ＦＡＱ】」「エフエフ【ＦＦ】」「エフエムほうそう【ＦＭ放送】」「エフシー【ＦＣ】」「エフじこう【ｆ字孔】」「エフディー【ＦＤ】」「エフビーアイ【ＦＢＩ】」等の見出しがあるが，欧文字「Ｆ」の音は，いずれも「エフ」の片仮名をもって表されている。
（ウ）大辞林第二版（株式会社三省堂発行）においては，「エフ【Ｆ・ｆ】」の見出しのもと，最初の語義に，「英語のアルファベットの第６字」との記載があり，その他「エフアール【ＦＲ】」「エフアールアイ【ＦＲＩ】」「エフアールエス【ＦＲＳ】」「エフアールエヌ【ＦＲＮ】」「エフアールエム【ＦＲＭ】」「エフアールシー【ＦＲＣ】」「エフアールティーピー【ＦＲＴＰ】」「エフアールビー【ＦＲＢ】」「エフアールピー【ＦＲＰ】」「エフアイ【ＦＩ】」等の見出しがあるが，欧文字「Ｆ」の音は，いずれも「エフ」の片仮名をもって表されている。
（エ）以上からすると，我が国において，欧文字「Ｆ」の音を「エフ」と表記することが，一般に広く行われているということができるものであるから，本願商標の構成中の「エフ」の文字部分に接した取引者・需要者は，当該文字部分が，直ちに欧文字「Ｆ」の音を片仮名表記したものであることを認識するものというべきである。
　エ　欧文字１文字と数字とを組み合わせたものからなる標章や，欧文字１文字と数字を「−」（ハイフン）を介して組み合わせたものからなる標章を，商品の記号又は符号として用いる際に，その読みを特定する片仮名を含めて併記することも行われているが，具体的には，「Ａ−１」や「Ｂ１」の文字に加えて，「エー１」や「ビー１」等との例がある。（別掲２）。
　オ　してみれば，本願商標は，「Ｆ−１」の欧文字部分の読みを片仮名表記して「エフ−１」と表したものと容易に理解されるものであり，極めて簡単で，かつ，ありふれた標章のみからなるものと認められ，その指定商品との関係でみても，格別自他商品識別力を有するとはいえず，特定人による独占的使用を認めるのに適しているともいえないというのが相当である。
　したがって，本願商標は，商標法第３条第１項第５号に該当する。
　２　請求人の主張について 
　ア　請求人は，「本願商標の構成文字は全て同じ書体，同じ大きさをもって等間隔に，外観上まとまりよく一体的に表示されてなるものであり，本願商標全体から自然に生ずる『エフワン』及び『エフイチ』の称呼も冗長とはいえず，よどみなく一連に称呼しうるものであることからすると，本願商標は，その構成全体をもって一体不可分のものと認識され，把握されると考えるのが相当であり，かかる構成においては，直ちに商品の型式，品番を表すための記号，符号を表すものと認識するとはいえないものである。」旨主張する。
　しかしながら，前記１のとおり，欧文字「Ｆ」の音を「エフ」と表記することが，我が国において自然に行われており，本願商標の表記自体も，前記１のとおり，普通に用いられる方法で表されたものである。また，別掲１にあるように，欧文字１文字と数字とを「−」（ハイフン）を介して組み合わせたものからなる標章が，商品の品番，型番，種別，形式，規格等を表した記号又は符号として，取引上普通に採択・使用されている実情があることよりすれば，本願商標は，「Ｆ−１」の文字を，その片仮名読みを含め「エフ−１」と表したものと容易に理解されるものであり，本願商標をその指定商品に使用しても，これに接する取引者，需要者が「Ｆ−１」の欧文字部分の読みを片仮名で表示したものと理解するにとどまるものというべきである。
　イ　請求人は，商標審査基準の商標法第３条第１項第５号の項（甲１）を挙げ，「極めて簡単で，かつ，ありふれた標章」の例として，「片仮名文字のうち，ローマ字１字の音を表示したものと認識されるもの」や「欧文字と数字の組み合わせからなる商標」は掲載されているものの，「欧文字１字の音の片仮名表示と数字の組み合わせからなる商標」は「極めて簡単で，かつ，ありふれた標章」の一例として掲載されていないことから，本願商標も登録されるべき旨主張する。
　しかしながら，登録出願に係る商標が商標登録の要件を具備しているか否かは，当該商標の構成態様と，指定商品あるいは指定役務の取引の実情等に基づいて，個別具体的に判断されるものであるところ，本願商標の構成態様及び取引の実情については，前記１のとおり判断すべきであるから，請求人の主張は，採用することができない。
　ウ　したがって，請求人の上記主張は，いずれも採用することができない。
　３　まとめ
　以上のとおり，本願商標は，商標法第３条第１項第５号に該当し，登録することができない。
　よって，結論のとおり審決する。